(57)【特許請求の範囲】
【請求項１】
高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる貫通孔と、水平方向に延びる梁主筋と、当該梁主筋に接続され、部材側面に露出するスリーブ継手と、を備えた第１のＰＣ部材を、前記柱の上部に建て込み、
前記第１のＰＣ部材の前記貫通孔内に、先端が前記柱の前記スリーブ継手内に挿入されるように接続鉄筋を挿入し、
前記梁を構成し、側面から先端が突出する梁主筋を備えた第２のＰＣ部材を、前記梁主筋の突出した部分が前記第１のＰＣ部材のスリーブ継手内に挿入されるように、水平方向に移動させて建て込み、
前記第１のＰＣ部材の貫通孔内と、前記柱及び前記第１のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【請求項２】
高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる貫通孔と、水平方向に延び、先端が部材側面から突出する梁主筋と、を備えた第１のＰＣ部材を、前記柱の上部に建て込み、
前記第１のＰＣ部材の前記貫通孔内に、先端が前記柱の前記スリーブ継手内に挿入されるように接続鉄筋を挿入し、
前記梁を構成し、水平方向に延びる梁主筋と、当該梁主筋に接続され、部材側面に露出するスリーブ継手とを備えた第２のＰＣ部材を、前記第１のＰＣ部材の梁主筋の突出する部分が当該第２のＰＣ部材のスリーブ継手内に挿入されるように、水平方向に移動させて建て込み、
前記第１のＰＣ部材の貫通孔内と、前記第１及び第２のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【請求項３】
高架橋を構成する柱と梁が接合される柱梁接合部を構築する方法であって、
前記柱の柱主筋にスリーブ継手を接続するとともに、柱の上面にスリーブ継手を露出させておき、
少なくとも前記柱梁接合部を構成し、下面から突出する柱主筋と、水平方向に貫通する貫通孔と、を備えた第１のＰＣ部材を、前記柱主筋の突出する部分が前記柱の前記スリーブ継手内に挿入されるように、垂直方向に移動させて建て込み、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の貫通孔内に、先端が前記第２のＰＣ部材のスリーブ継手内に挿入されるように接続鉄筋を挿入し、
前記第１のＰＣ部材の貫通孔と、前記柱及び前記第２のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【請求項４】
高架橋を構成する柱と梁が接合される柱梁接合部を構築する方法であって、
前記柱の柱主筋を上面から突出させておき、
少なくとも前記柱梁接合部を構成し、上下方向に延びる柱主筋と、前記柱主筋に接続され、部材下面に露出するスリーブ継手と、水平方向に貫通する貫通孔と、を備えた第１のＰＣ部材を、前記柱の柱主筋の突出する部分が前記スリーブ継手内に挿入されるように、垂直方向に移動させて建て込み、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の貫通孔内に、先端が前記第２のＰＣ部材のスリーブ継手内に挿入されるように接続鉄筋を挿入し、
前記第１のＰＣ部材の貫通孔と、前記第１及び前記第２のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【請求項５】
高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる第１の貫通孔と、水平方向に貫通する第２の貫通孔と、を備えた第１のＰＣ部材を、前記柱の上部に建て込み、
前記第１のＰＣ部材の前記第１の貫通孔内に、先端が前記柱の前記スリーブ継手内に挿入されるように接続鉄筋を挿入し、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の第２の貫通孔内に、先端が前記第２のＰＣ部材のスリーブ継手内に挿入されるように接続鉄筋を挿入し、
前記第１のＰＣ部材の第１及び第２の貫通孔内と、前記柱及び前記第１のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【請求項６】
高架橋を構成する柱と梁が接合される柱梁接合部を構築する方法であって、
前記柱及び柱梁接合部を構築するとともに、前記柱梁接合部に水平方向に貫通する貫通孔を設けておき、
前記梁を構成し、梁主筋と、当該梁主筋に接続され、部材側面に露出するスリーブ継手とを備えたＰＣ部材を、前記柱梁接合部の側方に建て込み、
前記柱梁接合部の貫通孔内に、先端が前記ＰＣ部材のスリーブ継手内に挿入されるように接続鉄筋を挿入し、
前記柱梁接合部の貫通孔と、前記ＰＣ部材のスリーブ継手内にグラウトを充填する方法において、
前記ＰＣ部材を、前記柱に反力を取って支持する支持架構を設けることを特徴とする高架橋の柱梁接合部の構築方法。
【請求項７】
請求項１から６のうち何れか１項に記載の方法により柱梁接合部が構築されたことを特徴とする高架橋。
【発明の詳細な説明】
【技術分野】
【０００１】
本発明は、ＰＣ部材を用いた高架橋の柱梁接合部の構築方法に関する。
【背景技術】
【０００２】
従来より、鉄道又は道路用のＲＣ造の高架橋の構築する際に、工期の短縮を目的としてＰＣ（プレキャストコンクリート）部材が用いられている。このようなＰＣ部材を用いた高架橋の構築方法として、例えば、特許文献１には、ＰＣ部材からなる柱を立設し、立設した柱の間にＰＣ部材からなる横桁を架設し、柱頭部において柱及び横桁（梁）の鉄筋を配筋した後、柱頭部にコンクリートを打設することで、高架橋を構築する方法が記載されている。
【０００３】
なお、本願出願人らは、ＰＣ部材を用いて建物の柱梁架構を構築する工法として、柱を構成するＰＣ部材を水平方向に建て込むことを可能にすることで、現場におけるコンクリートの打設工程を省略した工法を提案している（例えば、特許文献２参照）。
【先行技術文献】
【特許文献】
【０００４】
【特許文献１】特開２００４―３２４２１６号公報
【特許文献２】特許第３８３７３９０号公報
【発明の概要】
【発明が解決しようとする課題】
【０００５】
上記の特許文献１記載の方法では、現場において柱梁接合部における柱及び梁を構成する鉄筋の配筋作業を行う必要があるため、柱梁接合部のコンクリートを打設する必要がある。このため、コンクリートの打設や養生が完了するまで、次の工程を行うことができず、工期が長期化するという問題があった。
【０００６】
本発明は、上記の問題に鑑みなされたものであり、その目的は、現場におけるコンクリートの打設作業を省略できる高架橋の柱梁接合部の構築方法を提供することである。
【課題を解決するための手段】
【０００７】
本発明は、高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる貫通孔と、水平方向に延びる梁主筋と、当該梁主筋に接続され、部材側面に露出するスリーブ継手と、を備えた第１のＰＣ部材を、前記柱の上部に建て込み、
前記第１のＰＣ部材の前記貫通孔内に、先端が前記柱の前記スリーブ継手内に挿入されるように接続鉄筋を挿入し、
前記梁を構成し、側面から先端が突出する梁主筋を備えた第２のＰＣ部材を、前記梁主筋の突出した部分が前記第１のＰＣ部材のスリーブ継手内に挿入されるように、水平方向に移動させて建て込み、
前記第１のＰＣ部材の貫通孔内と、前記柱及び前記第１のＰＣ部材のスリーブ継手内にグラウトを充填する方法において、
前記第２のＰＣ部材を、前記柱に反力を取って支持する支持架構を設けることを特徴とする。
【０００８】
また、本発明は、高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる貫通孔と、水平方向に延び、先端が部材側面から突出する梁主筋と、を備えた第１のＰＣ部材を、前記柱の上部に建て込み、
前記第１のＰＣ部材の前記貫通孔内に、先端が前記柱の前記スリーブ継手内に挿入されるように接続鉄筋を挿入し、
前記梁を構成し、水平方向に延びる梁主筋と、当該梁主筋に接続され、部材側面に露出するスリーブ継手とを備えた第２のＰＣ部材を、前記第１のＰＣ部材の梁主筋の突出する部分が当該第２のＰＣ部材のスリーブ継手内に挿入されるように、水平方向に移動させて建て込み、
前記第１のＰＣ部材の貫通孔内と、前記第１及び第２のＰＣ部材のスリーブ継手内にグラウトを充填する方法において、
前記第２のＰＣ部材を、前記柱に反力を取って支持する支持架構を設けることを特徴とする。
【０００９】
また、本発明は、高架橋を構成する柱と梁が接合される柱梁接合部を構築する方法であって、
前記柱の柱主筋にスリーブ継手を接続するとともに、柱の上面にスリーブ継手を露出させておき、
少なくとも前記柱梁接合部を構成し、下面から突出する柱主筋と、水平方向に貫通する貫通孔と、を備えた第１のＰＣ部材を、前記柱主筋の突出する部分が前記柱の前記スリーブ継手内に挿入されるように、垂直方向に移動させて建て込み、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の貫通孔内に、先端が前記第２のＰＣ部材のスリーブ継手内に挿入されるように接続鉄筋を挿入し、
前記第１のＰＣ部材の貫通孔と、前記柱及び前記第２のＰＣ部材のスリーブ継手内にグラウトを充填する方法において、
前記第２のＰＣ部材を、前記柱に反力を取って支持する支持架構を設けることを特徴とする。
【００１０】
また、本発明は、高架橋を構成する柱と梁が接合される柱梁接合部を構築する方法であって、
前記柱の柱主筋を上面から突出させておき、
少なくとも前記柱梁接合部を構成し、上下方向に延びる柱主筋と、前記柱主筋に接続され、部材下面に露出するスリーブ継手と、水平方向に貫通する貫通孔と、を備えた第１のＰＣ部材を、前記柱の柱主筋の突出する部分が前記スリーブ継手内に挿入されるように、垂直方向に移動させて建て込み、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の貫通孔内に、先端が前記第２のＰＣ部材のスリーブ継手内に挿入されるように接続鉄筋を挿入し、
前記第１のＰＣ部材の貫通孔と、前記第１及び前記第２のＰＣ部材のスリーブ継手内にグラウトを充填する方法において、
前記第２のＰＣ部材を、前記柱に反力を取って支持する支持架構を設けることを特徴とする高架橋の柱梁接合部の構築方法。
【００１１】
また、本発明は、高架橋を構成する柱と梁が接合される柱梁接合部を構築する方法であって、
前記柱の柱主筋にスリーブ継手を接続するとともに、前記スリーブ継手を前記柱の上面に露出させておき、
少なくとも前記柱梁接合部を構成し、上下方向に延びる第１の貫通孔と、水平方向に貫通する第２の貫通孔と、を備えた第１のＰＣ部材を、前記柱の上部に建て込み、
前記第１のＰＣ部材の前記第１の貫通孔内に、先端が前記柱の前記スリーブ継手内に挿入されるように接続鉄筋を挿入し、
前記梁を構成し、梁主筋と、当該梁主筋に接続され、部材側面に露出するスリーブ継手とを備えた第２のＰＣ部材を、前記第１のＰＣ部材の側方に建て込み、
前記第１のＰＣ部材の第２の貫通孔内に、先端が前記第２のＰＣ部材のスリーブ継手内に挿入されるように接続鉄筋を挿入し、
前記第１のＰＣ部材の第１及び第２の貫通孔内と、前記柱及び前記第１のＰＣ部材のスリーブ継手内にグラウトを充填する方法において、
前記第２のＰＣ部材を、前記柱に反力を取って支持する支持架構を設けることを特徴とする。
【００１２】
また、本発明は、高架橋を構成する柱と梁が接合される柱梁接合部を構築する方法であって、
前記柱及び柱梁接合部を構築するとともに、前記柱梁接合部に水平方向に貫通する貫通孔を設けておき、
前記梁を構成し、梁主筋と、当該梁主筋に接続され、部材側面に露出するスリーブ継手とを備えたＰＣ部材を、前記柱梁接合部の側方に建て込み、
前記柱梁接合部の貫通孔内に、先端が前記ＰＣ部材のスリーブ継手内に挿入されるように接続鉄筋を挿入し、
前記柱梁接合部の貫通孔と、前記ＰＣ部材のスリーブ継手内にグラウトを充填する方法において、
前記ＰＣ部材を、前記柱に反力を取って支持する支持架構を設けることを特徴とする。
【発明の効果】
【００１３】
本発明によれば、柱梁接合部及び梁を構成するＰＣ部材を建て込んだ後、スリーブ継手や貫通孔内にグラウトを充填することにより、これらＰＣ部材を接合することができるため、コンクリートを打設することなく、高架橋の柱梁接合部を構築することができる。
【図面の簡単な説明】
【００１４】
【図１Ａ】本実施形態の構築方法により構築された高架橋を示す側面図である。
【図１Ｂ】本実施形態の構築方法により構築された高架橋を示す平面図である。
【図１Ｃ】本実施形態の構築方法により構築された高架橋を示し、図１ＡにおけるＣ−Ｃ断面図である。
【図２Ａ】パターン１の柱と柱梁接合部との接合構造を説明するための図である。
【図２Ｂ】パターン２の柱と柱梁接合部との接合構造を説明するための図である。
【図２Ｃ】パターン３の柱と柱梁接合部との接合構造を説明するための図である。
【図３Ａ】パターンＡの梁と柱梁接合部との接合構造を説明するための図である。
【図３Ｂ】パターンＢの梁と柱梁接合部との接合構造を説明するための図である。
【図３Ｃ】パターンＣの梁と柱梁接合部との接合構造を説明するための図である。
【図４Ａ】本実施形態の高架橋の構築方法を説明するための図（その１）である。なお、各図において、（Ｂ）は平面図であり、（Ａ）は（Ｂ）におけるＡ−Ａ断面図である。
【図４Ｂ】本実施形態の高架橋の構築方法を説明するための図（その２）である。なお、各図において、（Ｂ）は平面図であり、（Ａ）は（Ｂ）におけるＡ−Ａ断面図である。
【図４Ｃ】本実施形態の高架橋の構築方法を説明するための図（その３）である。なお、各図において、（Ｂ）は平面図であり、（Ａ）は（Ｂ）におけるＡ−Ａ断面図である。
【図４Ｄ】本実施形態の高架橋の構築方法を説明するための図（その４）である。なお、各図において、（Ｂ）は平面図であり、（Ａ）は（Ｂ）におけるＡ−Ａ断面図である。
【図４Ｅ】本実施形態の高架橋の構築方法を説明するための図（その５）である。なお、各図において、（Ｂ）は平面図であり、（Ａ）は（Ｂ）におけるＡ−Ａ断面図である。
【図４Ｆ】本実施形態の高架橋の構築方法を説明するための図（その６）である。なお、各図において、（Ｂ）は平面図であり、（Ａ）は（Ｂ）におけるＡ−Ａ断面図である。
【図４Ｇ】本実施形態の高架橋の構築方法を説明するための図（その７）である。なお、各図において、（Ｂ）は平面図であり、（Ａ）は（Ｂ）におけるＡ−Ａ断面図である。
【図４Ｈ】本実施形態の高架橋の構築方法を説明するための図（その８）である。なお、各図において、（Ｂ）は平面図であり、（Ａ）は（Ｂ）におけるＡ−Ａ断面図である。
【図４Ｉ】本実施形態の高架橋の構築方法を説明するための図（その９）である。なお、各図において、（Ｂ）は平面図であり、（Ａ）は（Ｂ）におけるＡ−Ａ断面図である。
【図４Ｊ】本実施形態の高架橋の構築方法を説明するための図（その１０）である。なお、各図において、（Ｂ）は平面図であり、（Ａ）は（Ｂ）におけるＡ−Ａ断面図である。
【図４Ｋ】本実施形態の高架橋の構築方法を説明するための図（その１１）である。なお、各図において、（Ｂ）は平面図であり、（Ａ）は（Ｂ）におけるＡ−Ａ断面図である。
【図５Ａ】ＰＣ梁部材を支持する支持架構を示す１通りの鉛直断面図である。
【図５Ｂ】ＰＣ梁部材を支持する支持架構を示し、図５ＡにおけるＢ−Ｂ´矢視図である。
【図５Ｃ】ＰＣ梁部材を支持する支持架構を示し、図５ＡにおけるＣ−Ｃ´矢視図である。
【図５Ｄ】ＰＣ梁部材を支持する支持架構を示し、図５ＡにおけるＤ−Ｄ´矢視図である。
【発明を実施するための最良の形態】
【００１５】
以下、本発明の高架橋の構築方法の一実施形態を図面を参照しながら詳細に説明する。
【００１６】
図１Ａ〜図１Ｃは、本実施形態の構築方法により構築された高架橋１０を示す図であり、図１Ａは側面図、図１Ｂは平面図、図１Ｃは図１ＡにおけるＣ−Ｃ断面図である。図１Ａ〜図１Ｃに示すように、高架橋１０は、地中に構築された杭２０１と耐圧盤２０２とからなる基礎構造２０と、基礎構造２０の上部に高架橋１０の幅方向（図１Ｃにおける左右方向）両側に、高架橋１０の延びる方向（図１Ａにおける左右方向）に所定の間隔をあけて立設された柱３０と、柱３０の上部に縦横に延びるように組まれた梁４０と、梁４０の上部に構築されたスラブ５０とからなる。本実施形態では、高架橋１０の下方を図１Ｂにおける左右方向に鉄道が通っているものとする。なお、以下説明のため、図１Ｂにおける左右方向に延びる梁４０を夫々図中上から下に向かってＡ〜Ｂ通りとし、上下方向に延びる梁４０を夫々右から左に向かって１〜３通りとする。
【００１７】
まず、本実施形態で用いられる高架橋における柱梁接合部の構築方法を説明する。  
本実施形態の高架橋における柱梁接合部の構築方法では、以下に説明する３通りの柱と柱梁接合部の接続方法のうち何れかの方法を用いるものとする。
【００１８】
＜パターン１＞
図２Ａは、パターン１の柱と柱梁接合部との接合構造を説明するための図である。同図に示すように、ＰＣ部材６３は柱梁接合部を構成する仕口部６３Ａ及びこの仕口部６３Ａに接続される梁端部を構成する梁部６３Ｂを備えるものであり、仕口部６３Ａに相当する位置に上下方向に延びるように埋設され、下端が部材下面から突出する柱主筋６４を備える。また、柱６０はＰＣ部材又は現場打ちコンクリートからなり、上下方向に延びるように埋設された柱主筋６１と、柱主筋６１の上端に接続され、柱の上面に露出するスリーブ継手６２とを備える。
【００１９】
柱６０と仕口部６３Ａを接続する場合には、ＰＣ部材６３の柱主筋６４の突出する部分が、柱６０のスリーブ継手６２内に挿入されるように、ＰＣ部材６３を柱６０の上方から下降させて建て込む。そして、スリーブ継手６２内及びＰＣ部材６３と柱６０の間の目地にグラウトを充填する。充填したグラウトが硬化することにより仕口部６３Ａを構成するＰＣ部材６３と、柱６０とが接合される。
【００２０】
＜パターン２＞
図２Ｂは、パターン２の柱と柱梁接合部との接合構造を説明するための図である。同図に示すように、ＰＣ部材６７は仕口部６７Ａ及びこの仕口部６７Ａに接続される梁端部を構成する梁部６７Ｂを備えるものであり、柱梁接合部６７Ａに相当する位置に上下方向に延びるように埋設された柱主筋６８と、柱主筋６８の下端に接続され、部材下面に露出するスリーブ継手６９とを備える。また、柱６５はＰＣ部材又は現場打ちコンクリートからなり、上下方向に延びるように埋設され、上端が部材上面から突出する柱主筋６６を備える。
【００２１】
柱６５と仕口部６７Ａとを接続する場合には、柱６５の柱主筋６６の突出する部分が、ＰＣ部材６７のスリーブ継手６９内に挿入されるように、ＰＣ部材６７を柱６５の上方から下降させて建て込む。そして、スリーブ継手６９内及びＰＣ部材６７と柱６５の間の目地にグラウトを充填する。充填したグラウトが硬化することにより仕口部６７Ａを構成するＰＣ部材６７と柱６５とが接合される。
【００２２】
＜パターン３＞
図２Ｃは、パターン３の柱と柱梁接合部との接合構造を説明するための図である。同図に示すように、ＰＣ部材７３は仕口部７３Ａ及びこの仕口部７３Ａに接続される梁端部を構成する梁部７３Ｂを備えるものであり、仕口部７３Ａに相当する位置に上下方向に延びるように貫通するシース管７４を備える。また、柱７０はＰＣ部材又は現場打ちコンクリートからなり、上下方向に延びるように埋設された柱主筋７１と、柱主筋７１の上端に接続され、柱の上面に露出するスリーブ継手７２とを備える。
【００２３】
柱７０と仕口部７３Ａとを接続する場合には、柱７０の上部にＰＣ部材７３を建て込み、ＰＣ部材７３のシース管７４内に、先端が柱７０のスリーブ継手７２内に挿入されるように、接合鉄筋７５を挿入する。そして、シース管７４内、スリーブ継手７２内及びＰＣ部材７３と柱７０の間の目地にグラウトを充填する。充填したグラウトが硬化することにより仕口部７３Ａを構成するＰＣ部材７３と柱７０とが接合される。
【００２４】
また、本実施形態の柱梁接合部の構築方法では、以下に説明する３通りの梁と柱梁接合部の接続方法のうち何れかの方法を用いるものとする。
【００２５】
＜パターンＡ＞
図３Ａは、パターンＡの梁と柱梁接合部との接合構造を説明するための図である。同図に示すように、ＰＣ部材８３は仕口部８０Ｂに接続される梁端部を構成するものであり、水平方向に延びるように埋設され、端部が接合端面から突出する梁主筋８４を備える。また、柱８０Ａ及び仕口部８０Ｂは、ＰＣ部材又は現場打ちコンクリートからなり、仕口部８０Ｂに水平方向に延びるように埋設された梁主筋８１と、梁主筋８１に接続され、接合端面に露出するスリーブ継手８２とを備える。
【００２６】
仕口部８０Ｂに梁を接続する場合には、ＰＣ部材８３の梁主筋８４の突出する部分が、仕口部８０Ｂのスリーブ継手８２内に挿入されるように、ＰＣ部材８３を水平方向に移動させて建て込む。そして、スリーブ継手８２内及びＰＣ部材８３と仕口部８０Ｂとの目地にグラウトを充填する。充填したグラウトが硬化することにより仕口部８０Ｂと梁を構成するＰＣ部材８３とが接合される。
【００２７】
＜パターンＢ＞
図３Ｂは、パターンＢの梁と柱梁接合部との接合構造を説明するための図である。同図に示すように、ＰＣ部材８７は仕口部８５Ｂに接続される梁の端部を構成するものであり、水平方向に延びるように埋設された梁主筋８８と、梁主筋８８に接続され、接合端面に露出するスリーブ継手８９と、を備える。また、柱８５Ａ及び仕口部８５Ｂは、ＰＣ部材又は現場打ちコンクリートからなり、水平方向に延び、端部が接合端面から突出する梁主筋８６を備える。
【００２８】
柱梁接合部８５Ｂに梁を構成するＰＣ部材８７を接続する場合には、仕口部８５Ｂの梁主筋８６の突出する部分が、ＰＣ部材８７のスリーブ継手８９内に挿入されるように、ＰＣ部材８７を水平方向に移動させて建て込む。そして、スリーブ継手８９内及びＰＣ部材８７と仕口部８５Ｂとの目地にグラウトを充填する。充填したグラウトが硬化することにより仕口部８５Ｂと、梁を構成するＰＣ部材８７とが接合される。
【００２９】
＜パターンＣ＞
図３Ｃは、パターンＣの梁と柱梁接合部との接合構造を説明するための図である。同図に示すように、ＰＣ部材９２は仕口部９０Ｂに接続される梁の端部を構成するものであり、水平方向に延びるように埋設された梁主筋９３と、梁主筋９３に接続され、接合端面に露出するスリーブ継手９４と、を備える。また、柱９０Ａ及び仕口部９０Ｂは、ＰＣ部材又は現場打ちコンクリートからなり、仕口部９０Ｂに水平方向に貫通するシース管９１を備える。
【００３０】
仕口部９０Ｂに梁を構成するＰＣ部材９２を接続する場合には、柱梁接合部９０Ｂの側方にＰＣ部材９２を建て込み、柱梁接合部９０Ｂのシース管９１内に、先端がＰＣ部材９２のスリーブ継手９４内に挿入されるように、接合鉄筋９５を挿入する。
【００３１】
そして、シース管９１内、スリーブ継手９４内及びＰＣ部材９２と柱の間の目地にグラウトを充填する。充填したグラウトが硬化することにより仕口部９０Ｂと、梁を構成するＰＣ部材９２とが接合される。
【００３２】
本実施形態では、上記説明したパターン１〜３及びパターンＡ〜Ｃのうち何れかの方法、又は、柱梁接合部と梁とを別体のＰＣ部材により構成し、柱と柱梁接合部とはパターン１〜３の何れかの方法で接合し、柱梁接合部と梁とはパターンＡ〜Ｃのうち何れかの方法で接合することにより高架橋における柱梁接合部を構築する。
【００３３】
以下、図１Ａ〜図１Ｃを参照して説明した高架橋を構築する方法を説明する。  
図４Ａ〜図４Ｋは、本実施形態の高架橋の構築方法を説明するための図である。なお、各図において、（Ｂ）は平面図であり、（Ａ）は（Ｂ）におけるＡ−Ａ断面図である。
【００３４】
まず、図４Ａに示すように、地盤に杭２０１を打設し、杭２０１の頭部と一体になるように耐圧盤２０２を構築し、基礎構造２０を構築する。そして、基礎構造２０の上部に柱３０を構築する。柱３０はコンクリート部材３０１内に埋設された柱主筋３０２と、柱主筋３０２の上端に接続されたスリーブ継手３０３とを備え、スリーブ継手３０３の端部は柱３０の上面に露出している。なお、柱３０はＰＣ部材を用いて構築してもよいし、現場で構築してもよい。
【００３５】
次に、図４Ｂに示すように、Ｂ―１の柱梁接合部及びＢ通りの１−２通り間の梁のＢ−１側の端部を構成するＰＣ梁部材４００を建て込む。同図に示すように、ＰＣ梁部材４００は、ＰＣ部材からなるコンクリート本体４０１と、コンクリート本体４０１内に図４Ｂにおいて左右方向に延びるように埋設された第１の梁主筋４１１と、第１の梁主筋４１１の２通り側の端部に接続されたスリーブ継手４１２と、コンクリート本体４０１内の柱梁接続部に図４Ｂ（Ｂ）において上下方向に延びるように埋設された第２の梁主筋４２１と、第２の梁主筋４２１のＡ通り側の端部に接続されたスリーブ継手４２２と、コンクリート本体４０１の柱梁接合部にあたる部分に、下方から突出するように埋設された柱主筋４３１と、を備える。そして、柱主筋４３１の下方から突出する部分が、柱３０の上端に露出するスリーブ継手３０３内に挿入されるように、ＰＣ梁部材４００を上方から下方に移動させることにより建て込む。そして、柱３０の上部に埋設されたスリーブ継手３０３内及び柱３０とＰＣ梁部材４００の間にグラウトを充填する。
【００３６】
次に、図４Ｃに示すように、１通りのＡ−Ｂ通り間の梁４０を構成する一対のＰＣ梁部材４５０、４６０を建て込む。これらＰＣ梁部材４５０、４６０は、ＰＣ部材からなるコンクリート本体４５１、４６１と、コンクリート本体４５１、４６１内に図４Ｃ（Ｂ）において上下方向に延びるように埋設され、Ｂ通り側の端部がコンクリート本体４５１、４６１の端面から突出した梁主筋４５２、４６２と、梁主筋４５２、４６２のＡ通り側の端部に接続されたスリーブ継手４５３、４６３と、を備える。まず、ＰＣ梁部材４５０を、梁主筋４５２の突出する部分が、ＰＣ梁部材４００の第２の梁主筋４２１に接続されたスリーブ継手４２２内に挿入されるように水平方向に移動させて建て込む。次に、ＰＣ梁部材４６０を、梁主筋４６２の突出する部分が、ＰＣ梁部材４５０のＡ通り側の端部に露出するスリーブ継手４５３内に挿入されるように、水平方向に移動して建て込む。そして、スリーブ継手４５３、４６３内及びＰＣ部材４００、４５０、４６０の間にグラウトを充填する。
【００３７】
ここで、グラウトが硬化してＰＣ部材同士が接続されるまでは、ＰＣ梁部材４５０、４６０を支持する必要がある。本実施形態では、ＰＣ梁部材４５０、４６０を以下に説明する支持架構により支持する。
【００３８】
図５Ａ〜図５ＤはＰＣ梁部材４５０、４６０を支持する支持架構８００を示す図であり、図５Ａは、１通りの鉛直断面図、図５Ｂは図５ＡにおけるＢ−Ｂ´矢視図、図５Ｃは図５ＡにおけるＣ−Ｃ´矢視図、図５Ｄは図５ＡにおけるＤ−Ｄ´矢視図である。図５Ａ〜図５Ｄに示すように、支持架構８００は、柱３０にアンカーボルト８１１により固定された取付桁８１０と、取付桁８１０の両端近傍に上方に向かって接続された支柱８２０と、図５Ａにおける左右方向に延びるように支柱８２０上に架け渡された横桁８３０と、ＰＣ梁部材４５０、４６０の接合側の端部近傍に、横桁８３０から下方に延びるように取り付けられた長ボルト８５０と、図５Ｃにおける左右方向に延びるように長ボルト８５０の下端に取り付けられ、ＰＣ梁部材４５０、４６０を下方から支持する受桁８４０とにより構成される。ＰＣ梁部材４５０、４６０の荷重は、受桁８４０から長ボルト８５０を介して横桁８３０に伝達され、さらに、横桁８３０から支柱８２０を介して柱３０に伝達される。かかる構成により、ＰＣ梁部材４５０、４６０の下方の地盤上に支持部材を配置することなく、支持することが可能となり、高架橋１０の下方を通行する鉄道の往来を妨げることがない。
【００３９】
次に、図４Ｄに示すように、Ａ−１の柱梁接合部及びＡ通りの１−２通り間の梁のＡ通り側端部を構成するＰＣ梁部材５００を建て込む。ＰＣ梁部材５００は、ＰＣ部材からなるコンクリート本体５０１と、コンクリート本体５０１内に図４Ｄにおいて左右方向に延びるように埋設された第１の梁主筋５１１と、第１の梁主筋５１１の２通り側の端部に接続されたスリーブ継手５１２と、柱梁接続部に図４Ｄ（Ｂ）において上下方向に貫通するように埋設されたシース管５２１と、コンクリート本体５０１の柱梁接合部にあたる部分に、下方から突出するように埋設された柱主筋５３１と、を備える。ＰＣ梁部材は、柱主筋５３１の下方から突出する部分が、柱３０の上端に露出するスリーブ継手３０３内に挿入されるように、上方から下方に移動させることにより建て込む。
【００４０】
次に、図４Ｅに示すように、ＰＣ梁部材５００のシース管５２１内に高架橋１０の側方側から、先端が上記建て込んだＰＣ梁部材４６０のスリーブ継手４６３内に到達するように接続鉄筋５２２を挿入する。そして、スリーブ継手４６３、ＰＣ梁部材５００、４６０の間及びシース管５２１内にグラウトを充填する。
【００４１】
次に、図４Ｆに示すように、Ａ通り及びＢ通りの１〜２通り間の梁の中間部を構成するＰＣ梁部材５５０、５６０を水平方向に移動させて建て込む。ＰＣ梁部材５５０、５６０は、夫々、ＰＣ部材からなるコンクリート本体５５１、５６１と、コンクリート本体５５１、５６１内に図４Ｆ（Ｂ）において左右方向に延びるように埋設され、１通り側の端部がコンクリート本体５５１、５６１の端面から突出した梁主筋５５２、５６２と、梁主筋５５２、５６２の２通り側の端部に接続されたスリーブ継手５５３、５６３と、を備える。ＰＣ梁部材５５０、５６０は、梁主筋５５２、５６２の突出する部分が、ＰＣ梁部材４００、５００の第１の梁主筋４１１、５１１に接続されたスリーブ継手４１２、５１２内に挿入されるように水平方向に移動させて建て込む。この際、建て込んだＰＣ梁部材５５０、５６０は、上下方向に延びる仮受支持部材をＰＣ梁部材５５０、５６０と地上との間に立設することにより支持する。そして、スリーブ継手４１２、５１２及びＰＣ梁部材４００、５００、５５０、５６０の間にグラウトを充填する。
【００４２】
次に、図４Ｇに示すように、Ｂ―２の柱梁接合部とＢ通りの１−２通り間及び２−３通り間の梁のＢ通り側端部を構成するＰＣ梁部材６００を水平方向に移動させて建て込む。ＰＣ梁部材６００は、ＰＣ部材からなるコンクリート本体６０１と、コンクリート本体６０１に図４Ｇ（Ａ）及び（Ｂ）における左右方向に延びるように埋設され、１通り側の端部がコンクリート本体６０１の端面から突出した第１の梁主筋６１１と、第１梁主筋６１１の３通り側の端部に接続された第１のスリーブ継手６１２と、コンクリート本体６０１内の柱梁接合部に相当する位置に図４Ｇ（Ｂ）における上下方向に埋設された第２の梁主筋６２１と、第２の梁主筋６２１のＡ通り側の端部に接続された第２のスリーブ継手６２２と、コンクリート本体６０１の柱梁接合部にあたる部分に上下方向に貫通するように埋設されたシース管６３１と、を備えてなる。ＰＣ梁部材６００は、第１の梁主筋６１１の突出する部分が、Ｂ通りの１−２通り間の梁の中間部を構成するＰＣ梁部材５５０の梁主筋５５２に接続されたスリーブ継手５５３内に挿入されるように水平方向に移動させて建て込む。
【００４３】
次に、図４Ｈに示すように、ＰＣ梁部材６００のシース管６３１内に上方から、先端が柱３０の柱主筋３０２の上端に接続されたスリーブ継手３０３内に到達するように接続鉄筋６３２を挿入する。そして、スリーブ継手３０３、ＰＣ部材６００、５５０の間及びシース管６３１内にグラウトを充填する。
【００４４】
次に、図４Ｉに示すように、２通りのＡ−Ｂ通り間の梁を構成する一対のＰＣ梁部材６５０、６６０を建て込む。ＰＣ梁部材６５０、６６０は、コンクリート本体６５１、６６１と、コンクリート本体６５１、６６１内に図４Ｉ（Ｂ）において上下方向に延びるように埋設され、Ｂ通り側の端部がコンクリート本体６５１，６６１の端面から突出した梁主筋６５２，６６２と、梁主筋６５２，６６２のＡ通り側の端部に接続されたスリーブ継手６５３、６６３と、を備える。まず、ＰＣ梁部材６５０を、梁主筋６５２の突出する部分が、ＰＣ梁部材６００の第２の梁主筋６２１に接続されたスリーブ継手６２２内に挿入されるようにＰＣ梁部材６５０を水平方向に移動させて建て込む。次に、この建て込んだＰＣ梁部材６５０のＡ通り側の端部に露出するスリーブ継手６５３内に挿入されるように、ＰＣ梁部材６６０を水平方向に移動して建て込む。そして、スリーブ継手６２２、６５３内及びＰＣ部材６００、６５０、６６０の間にグラウトを充填する。この際、ＰＣ梁部材６５０、６６０は、図５Ａ〜図５Ｄを参照して説明した支持架構８００により支持すればよい。
【００４５】
次に、図４Ｊに示すように、Ａ―２の柱梁接合部とＡ通りの１−２通り間及び２−３通り間の梁のＢ通り側端部を構成するＰＣ梁部材７００を水平方向に移動させて建て込む。ＰＣ梁部材７００は、ＰＣ部材からなるコンクリート本体７０１と、コンクリート本体７０１に図４Ｊ（Ａ）及び（Ｂ）における左右方向に延びるように埋設され、１通り側の端部がコンクリート本体７０１の端面から突出した梁主筋７１１と、梁主筋７１１の２通り側の端部に接続されたスリーブ継手７１２と、コンクリート本体７０１内の柱梁接合部に相当する位置に図４Ｊ（Ｂ）における上下方向に貫通するように埋設された第１のシース管７２１と、コンクリート本体７０１の柱梁接合部にあたる部分に上下方向に貫通するように埋設された第２のシース管７３１と、を備えてなる。ＰＣ梁部材７００は、梁主筋７１１の突出する部分が、Ａ通りの１−２通り間の梁を構成するＰＣ梁部材５６０の梁主筋５６２に接続されたスリーブ継手５６３内に挿入されるように水平方向に移動させて建て込む。
【００４６】
次に、図４Ｋに示すように、ＰＣ梁部材７００の上方から第２のシース管７３１内に、先端が柱３０の柱主筋３０２に接続されたスリーブ継手３０３内に到達するように接続鉄筋７３２を挿入する。また、高架橋１０の側方から第１のシース管７２１内に、先端が２通りの梁を構成するＰＣ梁部材６６０の梁主筋６６２に接続されたスリーブ継手６６３内に到達するように接続鉄筋７２２を挿入する。そして、スリーブ継手５６３、６６３、ＰＣ部材５６０、６６０、７００の間及びシース管７２１、７３１内にグラウトを充填する。
【００４７】
そして、スラブを構成するＰＣスラブ部材を上記構築した梁４０に支持されるように、梁４０の上部に建て込む。  
上記説明した工程を繰り返すことにより、高架橋を連続的に構築することができる。
【００４８】
本実施形態によれば、現場においてコンクリートを打設することなく、高架橋１０を構築することができる。このため、現場における施工にかかる手間を削減することができるとともに、施工期間を短縮することができる。
【００４９】
また、現場においてコンクリートを打設する場合には、品質が安定しないが、接合部を工場において製作できるため、品質を安定することができる。
【００５０】
また、高架橋１０はスパンが広いため支持構造が必要となるが、支持構造を梁の下方に設けてしまうと、下方の鉄道の往来を妨げてしまう。これに対して本実施形態では、支持架構８００を、柱３０に反力をとってＰＣ梁部材を支持する構成としたため、下方の鉄道の往来を妨げることなく施工が可能となる。
【００５１】
なお、本実施形態では、Ａ〜Ｂ通り間の各スパンの梁を２つのＰＣ梁部材を接続することにより構成し、１〜３通り間の各スパンの梁を柱梁接合部及びその両側の梁の端部が一体になったＰＣ梁部材と、梁の中央部を構成するＰＣ梁部材とを接続することにより構成したが、梁の分割方法はこれに限られない。
【００５２】
例えば、各スパンの梁を３つ以上のＰＣ梁部材を接続することにより構成してもよいし、柱梁接合部と、この柱梁接合部に接続される３つの梁の端部が一体になったＰＣ梁部材を用いてもよく、また、柱梁接合部のみを構成するＰＣ部材を用いてもよく、要するに分割方法は、適宜施工性を考慮して決定すればよい。
【００５３】
また、本実施形態では、１〜３通り間の各スパンの梁を構成するＰＣ梁部材を下方から支持部材により支持するものとしたが、これに限らず、Ａ〜Ｂ通り間の梁を構成するＰＣ梁部材と同様に柱に反力をとって支持してもよい。
【００５４】
また、本実施形態では、上記のパターン１〜３のうちパターン１及びパターン３により柱梁接合部が含まれるＰＣ部材と柱を接合したが、これに限らず、パターン２の方法により接合してもよいし、柱と柱梁接合部とを一体に構築し、柱梁接合部と梁を構成するＰＣ部材をパターンＡ〜Ｃのうち何れかの方法により接合してもよい。
【００５５】
また、本実施形態では、上記のパターンＡ〜ＣのうちパターンＡ及びパターンＣにより柱梁接合部が含まれるＰＣ部材と柱を接合したが、これに限らず、パターンＢの方法により接合してもよい。
【符号の説明】
【００５６】
１０  高架橋
２０  基礎構造
３０  柱
４０  梁
５０  スラブ
６０、６５、７０、８０Ａ、８５Ａ、９０Ａ  柱
６１、６４、６６、６８、７１  柱主筋
６２、６９、７２、８２、８９、９４  スリーブ継手
６３、６７、７３、８３、８７、９２  ＰＣ部材
６３Ａ、６７Ａ、７３Ａ、８０Ｂ、８５Ｂ、９０Ｂ  仕口部
６３Ｂ、６７Ｂ、７３Ｂ  梁
７４、９１Ａ  シース管
７５、９５  接合鉄筋
８１、８４、８６、８８、９３  梁主筋
２０１  杭
２０２  耐圧盤
３０１  コンクリート部材
３０２  柱主筋
３０３  スリーブ継手
４００、４５０、４６０  ＰＣ部材
５００、５５０、５６０  ＰＣ部材
６００、６５０、６６０、７００  ＰＣ部材
４０１、４５１、５０１、５５１、６０１、６５１、７０１  コンクリート本体
４１１、４２１、４５２、４６２  梁主筋
５１１、５５２、５６２  梁主筋
６１１、６２１、６５２、６６２、７１１  梁主筋
４１２、４２２、４５３、４６３  スリーブ継手
５１２、５５３、５６３  スリーブ継手
６１２、６２２、６５３、６６３、７１２  スリーブ継手
４３１、５３１  柱主筋
５２１、６３１、７２１、７３１  シース管
５２２、６３２、７２２、７３２  接続鉄筋
８００  支持架構
８１０  取付桁
８１１  アンカーボルト
８２０  支柱
８３０  横桁
８４０  受桁
８５０  長ボルト
【図１Ａ】
0005423911.tif 000002
【図１Ｂ】
0005423911.tif 000003
【図１Ｃ】
0005423911.tif 000004
【図２Ａ】
0005423911.tif 000005
【図２Ｂ】
0005423911.tif 000006
【図２Ｃ】
0005423911.tif 000007
【図３Ａ】
0005423911.tif 000008
【図３Ｂ】
0005423911.tif 000009
【図３Ｃ】
0005423911.tif 000010
【図４Ａ】
0005423911.tif 000011
【図４Ｂ】
0005423911.tif 000012
【図４Ｃ】
0005423911.tif 000013
【図４Ｄ】
0005423911.tif 000014
【図４Ｅ】
0005423911.tif 000015
【図４Ｆ】
0005423911.tif 000016
【図４Ｇ】
0005423911.tif 000017
【図４Ｈ】
0005423911.tif 000018
【図４Ｉ】
0005423911.tif 000019
【図４Ｊ】
0005423911.tif 000020
【図４Ｋ】
0005423911.tif 000021
【図５Ａ】
0005423911.tif 000022
【図５Ｂ】
0005423911.tif 000023
【図５Ｃ】
0005423911.tif 000024
【図５Ｄ】
0005423911.tif 000025